(57)【要約】  運搬型保育器システムは、保育器、システムフレーム、および任意選択として支持コンポーネントを備える。支持コンポーネントは、緩衝システム、引き出し式内部圧縮ガスシリンダ格納トレイ、モニターマウント、ハンドル、締結点、カルテ・手持ち式装置ホルダー、電気制御ボックス、空気圧制御ボックス、付属品デッキ、ＬＥＤ診療用照明器、およびＤＣ配電コンポーネントを備えることができる。また、このような運搬型保育器システムの使用方法についても記載する。
2015524731.tif 000002
【特許請求の範囲】
【請求項１】
小児または新生児を制御された環境に保持する運搬型システムにおいて、
上部および底部を備えた保育器と、
前記保育器の底部に対して結合および分離するように構成されたシステムフレームであって、
上部および底部と、
前記保育器が当該システムフレームに結合された場合に当該システムフレームの上部と前記保育器の底部との間に配設される緩衝システムであって、
変形可能な材料で構成され、それぞれ円筒または角柱形状を有するとともに各形状の中心を通る軸を有する２つ以上の緩衝器であって、当該緩衝器のうちの少なくとも２つが、その対応する軸が相互に直交するように位置決めされた、緩衝器を備えた、緩衝システムと、
を備えた、システムフレームと、
を備えた、運搬型システム。
【請求項２】
前記緩衝器が中空である、請求項１に記載のシステム。
【請求項３】
前記角柱形状が、三角形、楕円形、正方形、または長方形断面を含む、請求項１または２に記載のシステム。
【請求項４】
前記緩衝システムが、前記保育器に固定するように構成された少なくとも１つの取り付け要素と、前記システムフレームに固定するように構成された少なくとも１つの取り付け要素とをさらに備えた、請求項１〜３のいずれか一項に記載のシステム。
【請求項５】
前記緩衝システムが、前記システムフレームに対する前記保育器の移動を制限するテザーをさらに備えた、請求項１〜４のいずれか一項に記載のシステム。
【請求項６】
前記緩衝システムが、少なくとも２つの緩衝器を４組備え、各組が前記保育器の底部の各隅部に対応する、請求項１〜５のいずれか一項に記載のシステム。
【請求項７】
前記システムフレームに対して動作可能に取り付けられた１つまたは複数の引き出し式内部圧縮ガスシリンダ格納トレイをさらに備えた、請求項１〜６のいずれか一項に記載のシステム。
【請求項８】
前記１つまたは複数の引き出し式内部圧縮ガスシリンダ格納トレイが、前記保育器の真下にある、請求項７に記載のシステム。
【請求項９】
前記１つまたは複数の引き出し式内部圧縮ガスシリンダ格納トレイがそれぞれ、
トレイハンドルと、
作動用ロックハンドルと、
を備えた、請求項７または８に記載のシステム。
【請求項１０】
前記１つまたは複数の引き出し式内部圧縮ガスシリンダ格納トレイがそれぞれ、前記作動用ロックハンドルの移動により解除されるラッチを有し、前記ラッチを解除することによって各トレイを引き出し可能である、請求項９に記載のシステム。
【請求項１１】
前記１つまたは複数の引き出し式内部圧縮ガスシリンダ格納トレイがそれぞれ、圧縮ガスシリンダを固定するストラップを有する、請求項７〜１０のいずれか一項に記載のシステム。
【請求項１２】
前記１つまたは複数の引き出し式内部圧縮ガスシリンダ格納トレイがそれぞれ、高摩擦材料および摩擦係数の小さな材料によって裏打ちされた、請求項９〜１１のいずれか一項に記載のシステム。
【請求項１３】
前記高摩擦材料が、各ストラップの下面部に沿って配置された、請求項１２に記載のシステム。
【請求項１４】
前記低摩擦材料が、前記トレイハンドルから最も離間した各トレイの部分を覆い、ユーザーがガスシリンダを容易に所定の位置へ摺動できるようにする、請求項１２に記載のシステム。
【請求項１５】
前記１つまたは複数の引き出し式内部圧縮ガスシリンダ格納トレイがそれぞれ、低重量、高強度、かつ低摩擦材料で構成されたレール上に着座した、請求項７〜１４のいずれか一項に記載のシステム。
【請求項１６】
前記レールがポリアセタールポリマーを含む、請求項１５に記載のシステム。
【請求項１７】
前記１つまたは複数の引き出し式内部圧縮ガスシリンダ格納トレイがそれぞれ、異なる位置でストラップを受け入れることによる異なるサイズのシリンダへの対応、各トレイの重量軽減、または異なるサイズのシリンダに対するストラップの対応および各トレイの重量軽減の両者を行うように構成された複数の孔を備えた、請求項７〜１６のいずれか一項に記載のシステム。
【請求項１８】
前記１つまたは複数の引き出し式内部圧縮ガスシリンダ格納トレイが、軽量で高強度の合金、高強度重量比のポリマー複合材、またはセラミック材料を含む、請求項７〜１７のいずれか一項に記載のシステム。
【請求項１９】
前記システムフレームに対して動作可能に接続されたモニターマウントをさらに備えた、請求項１〜１８のいずれか一項に記載のシステム。
【請求項２０】
前記モニターマウントが、前記保育器に隣接して前記システムフレームの上部に配置された通風口上に適合するように構成された、請求項１９に記載のシステム。
【請求項２１】
前記モニターマウントが、バーと、携帯型患者モニターの取り付けに必要な前記バーの位置に対応する格子状の取り付け孔とを備えた、請求項１９または２０に記載のシステム。
【請求項２２】
携帯型患者モニターをさらに備えた、請求項１９〜２１のいずれか一項に記載のシステム。
【請求項２３】
前記システムフレームに対して動作可能に接続され、当該システムに対するある種の運搬の実行、中断、開始、および終了を容易化するように構成された４つ以上のハンドルをさらに備えた、請求項１〜２２のいずれか一項に記載のシステム。
【請求項２４】
前記４つ以上のハンドルが少なくとも２つの位置を含み、第１の位置が当該システムの搬送用の位置であり、第２の位置が非搬送位置である、請求項２３に記載のシステム。
【請求項２５】
前記４つ以上のハンドルが、当該システムの搬送用の代替位置である第３の位置をさらに含む、請求項２４に記載のシステム。
【請求項２６】
前記４つ以上のハンドルがそれぞれ、第１の端部および第２の端部を備え、前記第１の端部が、前記システムフレームの付属具が通過する孔との接続点と、前記システムフレームの１つまたは複数の凹部に嵌合するロックピンとを備えた、請求項２３〜２５のいずれか一項に記載のシステム。
【請求項２７】
前記ロックピンが、前記システムフレームの１つまたは複数の凹部に挿入される位置に付勢され、各ハンドルが、作動時に前記ロックピンを前記１つまたは複数の凹部から引き抜く解除機構を備えた、請求項２６に記載のシステム。
【請求項２８】
前記システムフレームに固定された１つまたは複数の締結点をさらに備えた、請求項１〜２７のいずれか一項に記載のシステム。
【請求項２９】
前記１つまたは複数の締結点が、当該システムとスレッドまたはストレッチャとの間の一時的または補強用の接続を可能とする、請求項２８に記載のシステム。
【請求項３０】
前記１つまたは複数の締結点がそれぞれ、固定点を介して前記システムフレームに取り付けられた、請求項２８または２９に記載のシステム。
【請求項３１】
各固定点が、前記システムフレーム上において、前記締結点および固定点を介してストラップが取り付けられる際に計装パネルを一切遮ることのない領域に配置された、請求項３０に記載のシステム。
【請求項３２】
各固定点が、前記システムフレーム上において、前記スレッドまたはストレッチャおよび当該システムの両者の接合部および計装を回避する領域に配置された、請求項３０または３１に記載のシステム。
【請求項３３】
前記システムフレームの一端に装着され、カルテおよび手持ち式装置を固定するように構成されたカルテ・手持ち式装置保持区画をさらに備えた、請求項１〜３２のいずれか一項に記載のシステム。
【請求項３４】
前記カルテ・手持ち式装置保持区画が、患者のカルテを保持するように構成された大型のポケットと、手持ち式装置を保持するように構成された小型のポケットとを備え、前記大型のポケットおよび前記小型のポケットがそれぞれ、所定の位置に保つための面ファスナ式閉鎖具を備えたカバーを有する、請求項３３に記載のシステム。
【請求項３５】
前記小型のポケットのカバーが、運搬中に前記手持ち式装置の視認を可能とするメッシュ材料を含む、請求項３４に記載のシステム。
【請求項３６】
前記システムフレームに搭載された電気制御ボックスをさらに備えた、請求項１〜３５のいずれか一項に記載のシステム。
【請求項３７】
前記電気制御ボックスが前記保育器の真下にある、請求項３６に記載のシステム。
【請求項３８】
前記電気制御ボックスが、注意レベルを超える酸素の蓄積を防止するのに十分な物理的障壁を備えた、請求項３６または３７に記載のシステム。
【請求項３９】
前記電気制御ボックスが、当該電気制御ボックス内の酸素レベルが注意レベルに達したことを示す警報器をさらに備えた、請求項３６〜３８のいずれか一項に記載のシステム。
【請求項４０】
前記注意レベルが２５％以上の酸素リッチである、請求項３８または３９に記載のシステム。
【請求項４１】
前記システムフレームに搭載された空気圧制御ボックスをさらに備えた、請求項１〜４０のいずれか一項に記載のシステム。
【請求項４２】
前記空気圧制御ボックスが前記保育器の真下にある、請求項４１に記載のシステム。
【請求項４３】
前記空気圧制御ボックスが、当該空気圧制御ボックスの外部における可燃性ガスの危険な集中を防止するのに十分な物理的障壁を備えた、請求項４１または４２に記載のシステム。
【請求項４４】
前記空気圧制御ボックスが、前記保育器に供給する圧縮ガスの調整器を備えた、請求項４１〜４３のいずれか一項に記載のシステム。
【請求項４５】
前記空気圧制御ボックスが、エンドブロックを有する１つまたは複数の調整器マウントをさらに備えた、請求項４４に記載のシステム。
【請求項４６】
前記空気圧制御ボックスが圧力変換器をさらに備えた、請求項４４または４５に記載のシステム。
【請求項４７】
前記空気圧制御ボックスが、壁ガス源または１つもしくは複数のガスシリンダからのガスを受け入れるように構成された、請求項４１〜４６のいずれか一項に記載のシステム。
【請求項４８】
前記空気圧制御ボックスが、別の制御ボックスの蓋またはカバーとなるように構成された、請求項４１〜４７のいずれか一項に記載のシステム。
【請求項４９】
前記保育器に隣接して前記システムフレーム上に配置された付属品デッキをさらに備え、前記付属品デッキが、当該デッキに搭載され、少なくとも１つの付属装置を受けるように構成された少なくとも１つのＴスロットレールを備えた、請求項１〜４８のいずれか一項に記載のシステム。
【請求項５０】
前記付属品デッキに搭載され、通風口に対して動作可能に接続された通風口接続板を備えた、請求項４９に記載のシステム。
【請求項５１】
前記付属品デッキに搭載された付属品ポールを備えた、請求項４９または５０に記載のシステム。
【請求項５２】
前記付属品デッキに搭載された吸引収集器用のクリップ台を備えた、請求項４９〜５１のいずれか一項に記載のシステム。
【請求項５３】
吸引収集器用の前記クリップ台が、呼気弁用の取り付け部位を備えた、請求項５２に記載のシステム。
【請求項５４】
前記保育器に対して動作可能に搭載された取り外し可能な診療用照明器をさらに備えた、請求項１〜５３のいずれか一項に記載のシステム。
【請求項５５】
前記診療用照明器が発光ダイオード（ＬＥＤ）を備えた、請求項５４に記載のシステム。
【請求項５６】
直流（ＤＣ）配電コンポーネントをさらに備えた、請求項１〜５５のいずれか一項に記載のシステム。
【請求項５７】
前記ＤＣ配電コンポーネントが、直流コンポーネントおよび１つまたは複数のＤＩＮレールを備えた、請求項５６に記載のシステム。
【請求項５８】
前記ＤＣ配電コンポーネントがエンドブラケットを備えた、請求項５６または５７に記載のシステム。
【請求項５９】
前記ＤＣ配電コンポーネントが、ヒューズホルダー、６ボルトＤＣ（ＶＤＣ）リレー、バッテリバスに対して切り替えられる１つまたは複数の２レベル端子ブロック、ＤＣ／ＤＣコンバータ、およびＤＣ／ＤＣ出力バスである１つまたは複数の２レベル端子ブロックのうちの１つまたは複数を備えた、請求項５６〜５８のいずれか一項に記載のシステム。
【請求項６０】
前記ＤＣ配電コンポーネントが、バッテリ消耗コンポーネントを誤ってオン状態に放置することなく、当該運搬型保育器システムを完全に停止させるように構成された、請求項５６〜５９のいずれか一項に記載のシステム。
【請求項６１】
変形可能な材料で構成され、保育器が運搬型保育器システムのシステムフレームに結合された場合に前記システムフレームの上部と前記保育器の底部との間に配設されるように構成された２つ以上の緩衝器を備え、
各緩衝器が、円筒または角柱形状を有するとともに各形状の中心を通る軸を有し、
前記緩衝器のうちの少なくとも２つが、その対応する軸が相互に直交するように位置決めされた、緩衝システム。
【発明の詳細な説明】
【技術分野】
【０００１】
本明細書に記載の主題は、一般的には医療機器の分野に関し、より詳細には乳児または新生児の患者を保育器に入れたまま運搬するための装置、システム、物品、および方法に関する。
関連出願の相互参照
本願は、２０１２年８月１５日付け出願の米国特許出願第６１／６８３６１８号「Ｔｒａｎｓｐｏｒｔ  Ｉｎｃｕｂａｔｏｒ  Ｓｙｓｔｅｍ」の優先権を主張し、その全内容を本明細書中に参考として援用する。
【背景技術】
【０００２】
運搬型保育器は、感染症の危険性が低い制御された環境のほか、一定の体温、適正な血中酸素含有量、および皮膚等の露出組織の水分レベルを乳児および新生児の患者が維持するのに役立つ。運搬型保育器は、移動式電源および圧縮ガス源に基づいて動作しつつ、少なくともこれらの課題を達成する必要がある。また、運搬型保育器は、様々な種類の輸送機に適合するとともに、過度なストレスを患者に与えることなく、粗雑な条件、そして時には騒々しい条件のもとで患者を搬送することが求められる。
【発明の概要】
【課題を解決するための手段】
【０００３】
本明細書では、保育器、システムフレーム、および任意選択として支持コンポーネントを備えた運搬型保育器システムを提供する。また、このような運搬型保育器システムの使用方法についても記載する。
【０００４】
一態様において、運搬型システムは、保育器と、当該保育器の底部に対して結合および分離するように構成されたシステムフレームとを備える。
【０００５】
相互に関連する一態様において、運搬型システムは、保育器、システムフレーム、および保育器がシステムフレームに結合された場合にフレームの上部と保育器の底部との間に配設される緩衝システムを備える。緩衝システムは、変形可能な材料で構成され、それぞれ円筒または角柱形状を有するとともに各形状の中心を通る軸を有する２つ以上の緩衝器を備える。緩衝システムにおいては、緩衝器のうちの少なくとも２つが、その対応する軸が相互に直交するように位置決めされている。
【０００６】
保育器、システムフレーム、および緩衝システムを備えた運搬型システムにおいて、当該緩衝システムの緩衝器は、中空とすることができる。また、緩衝器は、三角形、楕円形、正方形、または長方形断面を含む角柱形状を有することができる。また、緩衝システムは、保育器に固定するように構成された少なくとも１つの取り付け要素と、システムフレームに固定するように構成された少なくとも１つの取り付け要素とを含むことができる。さらに、緩衝システムは、システムフレームに対する保育器の移動を制限するテザーを備えることができる。緩衝システムは、少なくとも２つの緩衝器を４組備え、各組が保育器の底部の各隅部に対応可能である。
【０００７】
相互に関連する別の態様において、保育器およびシステムフレームを備えた上記運搬型システムは、システムフレームに取り付けられた１つまたは複数の引き出し式内部圧縮ガスシリンダ格納トレイをさらに備えることができる。この１つまたは複数の引き出し式内部圧縮ガスシリンダ格納トレイは、保育器の真下に置くことができる。また、この１つまたは複数の引き出し式内部圧縮ガスシリンダ格納トレイは、トレイハンドルおよび作動用ロックハンドルを備えることができる。この１つまたは複数の引き出し式内部圧縮ガスシリンダ格納トレイはそれぞれ、作動用ロックハンドルの移動により解除されるラッチを有し、当該ラッチを解除することによって各トレイを引き出し可能である。また、この１つまたは複数の引き出し式内部圧縮ガスシリンダ格納トレイはそれぞれ、圧縮ガスシリンダを固定するストラップを有することができる。この１つまたは複数の引き出し式内部圧縮ガスシリンダ格納トレイはそれぞれ、高摩擦材料および摩擦係数の小さな材料によって裏打ちすることができる。このように、１つまたは複数の引き出し式内部圧縮ガスシリンダ格納トレイがそれぞれ、高摩擦材料および摩擦係数の小さな材料によって裏打ち可能であるシステムにおいて、高摩擦材料は、ストラップ下の各トレイの部分に沿って、トレイハンドルの近傍に配置可能である。また、このようなシステムにおいて、低摩擦材料は、トレイハンドルから最も離間した各トレイの部分を覆うことができ、ユーザーがガスシリンダを容易に所定の位置へ摺動できるようにする。また、この１つまたは複数の引き出し式内部圧縮ガスシリンダ格納トレイはそれぞれ、低重量、高強度、かつ低摩擦材料で構成されたレール上に着座可能である。このようなシステムにおいて、レールは、ポリアセタールポリマーを含むことができる。また、この１つまたは複数の引き出し式内部圧縮ガスシリンダ格納トレイはそれぞれ、複数の孔を備えることができる。この複数の孔は、異なる位置でストラップを受け入れることによって異なるサイズのシリンダに対応するように構成可能である。また、この複数の孔は、各トレイの重量を軽減するように機能可能である。あるいは、１つまたは複数の引き出し式内部圧縮ガスシリンダ格納トレイを備えたシステムにおいて、各トレイは、異なるサイズのシリンダに対するストラップの対応および各トレイの重量軽減の両者を行うように構成された複数の孔を有することができる。この１つまたは複数の引き出し式内部圧縮ガスシリンダ格納トレイは、軽量で高強度の合金、高強度重量比のポリマー複合材、またはセラミック材料を含むことができる。
【０００８】
相互に関連するさらに別の態様において、保育器およびシステムフレームを備えた上記システムは、システムフレームに接続されたモニターマウントを備えることもできる。モニターマウントは、保育器に隣接してシステムフレームの上部に配置された通風口上に適合するように構成可能である。また、モニターマウントは、バーと、携帯型患者モニターの取り付けに必要なバーの位置に対応する格子状の取り付け孔とを備えることができる。上記システムは、携帯型患者モニターを備えることもできる。
【０００９】
相互に関連する別の態様は、上記システムの一部を構成可能であり、システムフレームに対して動作可能に接続され、当該システムに対するある種の運搬の実行、中断、開始、および終了を容易化するように構成された４つ以上のハンドルに関する。この４つ以上のハンドルは、少なくとも２つの位置を有することができる。第１の位置を当該システムの搬送用の位置とし、第２の位置を非搬送位置とすることができる。また、この４つ以上のハンドルは、当該システムの搬送用の代替位置である第３の位置をさらに含むことができる。この４つ以上のハンドルはそれぞれ、第１の端部および第２の端部を備えることができる。各ハンドルの第１の端部は、システムフレームの付属具が通過する孔との接続点を備えることができる。また、各ハンドルは、システムフレームの１つまたは複数の凹部に嵌合するロックピンを備えることができる。このようなシステムにおいて、ロックピンは、システムフレームの１つまたは複数の凹部に挿入される位置に付勢可能であり、各ハンドルは、作動時にロックピンを上記１つまたは複数の凹部から引き抜く解除機構を備えることができる。
【００１０】
また、相互に関連する態様は、システムフレームに固定された１つまたは複数の締結点を備えることができる。この１つまたは複数の締結点は、上記システムとスレッドまたはストレッチャとの間の一時的または補強用の接続を可能とすることができる。この１つまたは複数の締結点はそれぞれ、固定点を介してシステムフレームに取り付け可能である。また、各固定点は、システムフレーム上において、締結点および固定点を介してストラップが取り付けられる際に計装パネルを一切遮ることのない領域に配置可能である。また、各固定点は、システムフレーム上において、スレッドまたはストレッチャおよび上記システムの両者の接合部および計装を回避する領域に配置可能である。
【００１１】
相互に関連する別の態様において、上記システムは、システムフレームの一端に装着されたカルテ・手持ち式装置保持区画を備えることができる。カルテ・手持ち式装置保持区画は、カルテおよび手持ち式装置を固定するように構成可能である。カルテ・手持ち式装置保持区画は、患者のカルテを保持するように構成された大型のポケットと、手持ち式装置を保持するように構成された小型のポケットとを備えることができる。大型のポケットおよび小型のポケットはそれぞれ、所定の位置に保つための面ファスナ式閉鎖具を備えたカバーを有することができる。小型のポケットのカバーは、当該小型のポケット自体と同様に、運搬中に手持ち式装置の視認を可能とするメッシュ材料を含むことができる。
【００１２】
相互に関連する別の態様において、上記システムは、システムフレームに搭載された電気制御ボックスをさらに備えることができる。電気制御ボックスは、このシステムの保育器の真下に置くことができる。また、電気制御ボックスは、注意レベルを超える酸素の蓄積を防止するのに十分な物理的障壁を備えることができる。電気制御ボックスは、当該電気制御ボックス内の酸素レベルが注意レベルに達したことを示す警報器を備えることができる。また、この電気制御ボックス内の酸素の注意レベルは、２５％以上の酸素リッチとすることができる。
【００１３】
また、相互に関連する態様は、システムフレームに搭載された空気圧制御ボックスをさらに備えることができる。空気圧制御ボックスは、保育器の真下に置くことができる。また、空気圧制御ボックスは、当該空気圧制御ボックスの外部における可燃性ガスの危険な集中を防止するのに十分な物理的障壁を備えることができる。さらに、空気圧制御ボックスは、保育器に供給する圧縮ガスの調整器を備えることができる。このようなシステムにおいて、空気圧制御ボックスは、エンドブロックを有する１つまたは複数の調整器マウントを備えることもできる。また、空気圧制御ボックスは、圧力変換器を備えることができる。空気圧制御ボックスは、壁ガス源または１つもしくは複数のガスシリンダからのガスを受け入れるように構成可能である。また、空気圧制御ボックスは、別の制御ボックスの蓋またはカバーとなるように構成可能である。
【００１４】
さらに、相互に関連する態様において、保育器およびシステムフレームを備えた上記システムは、保育器に隣接してシステムフレーム上に配置された付属品デッキを備えることもできる。付属品デッキは、当該デッキに搭載され、少なくとも１つの付属装置を受けるように構成された少なくとも１つのＴスロットレールを有することができる。上記システムは、付属品デッキに搭載され、通風口に対して動作可能に接続された通風口接続板を備えることができる。付属品デッキに搭載された付属品ポールを当該システムの一部とすることもできる。また、上記システムは、付属品デッキに搭載された吸引収集器用のクリップ台を備えることができる。このようなシステムにおいて、吸引収集器用のクリップ台は、呼気弁用の取り付け部位を備えることができる。
【００１５】
相互に関連する態様は、上記システムの保育器に対して動作可能に搭載された取り外し可能な診療用照明器を備えることができる。診療用照明器は、発光ダイオード（ＬＥＤ）を備えることができる。
【００１６】
また、相互に関連する別の態様においては、直流（ＤＣ）配電コンポーネントを上記システムの一部とすることができる。ＤＣ配電コンポーネントは、直流コンポーネントおよび１つまたは複数のＤＩＮレールを備えることができる。エンドブラケットをＤＣ配電コンポーネントの一部とすることもできる。また、ＤＣ配電コンポーネントは、ヒューズホルダー、６ボルトＤＣ（ＶＤＣ）リレー、バッテリバスに対して切り替えられる１つまたは複数の２レベル端子ブロック、ＤＣ／ＤＣコンバータ、およびＤＣ／ＤＣ出力バスである１つまたは複数の２レベル端子ブロックのうちの１つまたは複数を備えることができる。また、ＤＣ配電コンポーネントは、バッテリ消耗コンポーネントを誤ってオン状態に放置することなく、上記運搬型保育器システムを完全に停止させるように構成可能である。
【００１７】
相互に関連する態様において、緩衝システムは、変形可能な材料で構成され、保育器が運搬型保育器システムのシステムフレームに結合された場合にシステムフレームの上部と保育器の底部との間に配設されるように構成された２つ以上の緩衝器を備えることができる。このようなシステムにおいて、各緩衝器は、円筒または角柱形状を有するとともに各形状の中心を通る軸を有し、これら緩衝器のうちの少なくとも２つが、その対応する軸が相互に直交するように位置決め可能である。
【００１８】
保育器およびシステムフレームを除く上記システムの特徴は、任意選択であり、任意の適当な組み合わせで当該システムに組み込み可能である。
【００１９】
本明細書に記載の主題の１つまたは複数の変形例の詳細については、添付の図面および以下の説明に明記する。本明細書に記載の主題のその他の特徴および利点については、以下の説明、図面、および特許請求の範囲から明らかとなるであろう。
【図面の簡単な説明】
【００２０】
【図１】運搬型保育器システムである。
【図２】図１に示す運搬型保育器システムのフレームを示した図である。
【図３】ハンドルが格納位置すなわち非作動位置にある運搬型保育器システムのフレームを示した図である。
【図４ａ】ハンドルを示した図である。
【図４ｂ】ハンドルの分解図である。
【図５】引き出し式内部ガス格納トレイを視認可能な運搬型保育器システムのフレームを示した図である。
【図６】ロックハンドルを備えた引き出し式内部ガス格納トレイを示している。
【図７】いくつかの追加コンポーネントを備えた運搬型保育器を示している。
【図８】診療用照明器を示している。
【図９】図８と反対側の面について診療用照明器を示している。
【図１０】通風口、モニターマウント、空気圧制御ボックス、電気制御ボックス、および通風口接続板を備えた運搬型保育器システムのフレームを示した図である。
【図１１】モニターマウントを示している。
【図１２】通風口、モニターマウント、ガス制御ボックス、および電気制御ボックスを備えた運搬型保育器システムのフレームを示した図である。
【図１３】電気制御ボックスを示している。
【図１４ａ】空気圧制御ボックスを示している。
【図１４ｂ】透明なハウジングとして見た場合の空気圧制御ボックスを示している。
【図１５】運搬型保育器システムフレームの付属品デッキ部を示している。
【図１６】通風口接続板を示している。
【図１７】図１６の通風口接続板を示した別の図である。
【図１８ａ】吸引収集器用のクリップ台を示している。
【図１８ｂ】付属品デッキに取り付けられた吸引収集器用のクリップ台を示している。
【図１９ａ】吸引収集器用のクリップ台を示した別の図であって、呼気弁の取り付けを可能とする付属具を示している。
【図１９ｂ】呼気弁が取り付けられた吸引収集器用のクリップ台を示している。
【図２０】付属品デッキに搭載可能な付属品ポールを示している。
【図２１】空気圧制御ボックスの内部に見られる調整器マウントを示している。
【図２２】ＤＣ配電コンポーネントを示している。
【図２３】運搬型保育器システムをスレッドまたはストレッチャに取り付け可能な締結点を示している。
【図２４】運搬型保育器システムの車輪アセンブリを示している。
【図２５】運搬型保育器システムの緩衝システムを示している。
【図２６】運搬型保育器システムで使用する患者カルテ・手持ち式装置保持区画を示している。
【図２７】空気圧制御ボックス内と対照的に、ガスシリンダ上にフロー調整器が搭載された運搬型保育器システムの構成を示している。
【発明を実施するための形態】
【００２１】
種々図面中の類似の参照符号は、類似の要素を示している。
詳細な説明
本明細書には、医療ニーズに対応しつつ、様々な条件において乳児および新生児の患者の運搬に使用可能な運搬型保育器システムを開示する。本明細書に記載の運搬型保育器システムは、過剰なリソースを要することなく様々な種類の運搬に対して容易に適合可能となるように、電力要件を最適化することによって、輸送機電力またはバッテリ電力の使用ならびに強度重量比特性および空間要件の最適化により最も長期間の医療を可能とする。医師または看護師等の医療提供者であれば、本明細書に記載の運搬型保育器システムによって、乳児および新生児の患者の運搬中に最適な医療を提供するのに必要な装置および医療用コネクタならびに制御装置に対して容易にアクセス可能となることが理解可能である。
【００２２】
図１は、フレーム１４０に着座した保育器１１０を備えた乳児・新生児運搬型保育器システム１００を示している。フレーム１４０は、保育器１１０の一方側に付属品デッキ１４５を備える。付属品デッキ１４５は、点滴ポンプ１３０、通風口接続板１７０等の物品を保育器１１０のヘッドエンド近傍に取り付ける際に使用可能なＴスロット押出金属レール１５０を備える。また、フレーム１４０は、１つまたは複数の引き出し式内部圧縮ガスシリンダ格納トレイ１６０を備える。また、運搬型保育器システム１００は、取り外し可能な患者モニター１２０および／または前方搭載制御装置と、患者カルテ・手持ち式装置保持区画１９０と、システム移動用のハンドル２００とを備える。通風口２４０は、運搬型保育器システム１００の一部である。患者の健康および安全の必要に応じて、その他の付属品およびコンポーネントを運搬型保育器システム１００の一部とすることも可能である。その逆に、運搬型保育器システム１００は、ここに挙げたコンポーネントをすべて備えている必要はない。
【００２３】
図２は、保育器や車輪がない状態の運搬型保育器システム１００のフレーム１４０を示した図である。付属品デッキ１４５は、フレーム１４０の一端側に４つのＴスロットレール１５０を備えた状態で示している。Ｔスロットレール１５０の数および構成は、付属品デッキ１４５に使用する付属品の種類に適するように変更可能である。フレーム１４０の反対側の端部には、４つの引き出し式内部圧縮ガスシリンダ格納トレイ１６０が存在する。また、引き出し式圧縮ガスシリンダ格納トレイ１６０の上方には、ハンドル２００ａおよび２００ｂが存在する。ハンドル２００ａは、３つの位置のうちの１つに示しており、この位置は、システム１００を搬送するための位置である。ハンドル２００ｂは、別の位置に示しており、格納すなわち非搬送位置である。図３は、運搬型保育器システム１００のフレーム１４０を示しているが、本図において、視認可能なハンドル２００ａおよび２００ｂはともに格納すなわち非搬送位置にある。全体として、運搬型保育器システムのフレーム１４０は、当該フレーム１４０の各隅部に１つずつ、少なくとも４つのハンドルを有することができる。
【００２４】
図４ａおよび図４ｂは、運搬型保育器システム１００のフレーム１４０に取り付けられるハンドル２００を示している。ハンドル２００は、第１の端部において、フレーム１４０の付属具が通過する孔との接続点２０５を有する。ハンドル２００は、この点２０５の周りに回転可能である。ハンドル２００が回転する経路に沿って配置されたフレーム１４０の１つまたは複数の凹部には、突起すなわちロックピン２１０が嵌合可能である。凹部は、およそ９０°、およそ６０°、およそ４５°、またはおよそ３０°等の一定間隔で配置可能である。ロックピン２１０は、バネ等の機構によって、適正に整列された場合にフレーム１４０の凹部に挿入される位置に付勢可能である。各ハンドル２００は、ユーザーの親指またはその他の指で作動させることによってロックピン２１０をフレーム１４０の凹部から引き抜き可能な解除機構２１５を有することができる。図４ｂは、図４ａに示すハンドルの分解図であって、ロックピン２１０を係合位置に付勢可能なバネ２１６を示している。
【００２５】
図５には、一方のハンドル２００ａがシステム１００を搬送するための使用位置にあり、他方のハンドル２００ｂが非搬送位置にある状態の運搬型保育器システム１００のフレーム１４０を示している。また、引き出し式内部圧縮ガスシリンダ格納トレイ１６０も示している。引き出し式内部圧縮ガスシリンダ格納トレイ１６０はそれぞれ、トレイハンドル１６１および作動用ロックハンドル１６７を有する。各作動用ハンドル１６７には、枢着点・ラッチ１６８が接続されている。ラッチ１６８によって、運搬中、各引き出し式内部圧縮ガスシリンダ格納トレイ１６０をシステムフレーム１４０の本体内に留めることができる。ただし、運搬の前や移動後には、圧縮ガスシリンダをトレイ１６０に対して挿入または取り外し可能であり、トレイ１６０のアクセス性を高めることが必要となる。ユーザーは、各トレイ１６０を引き出すため、作動用ハンドル１６７を押し下げることによって、ラッチ１６８を自由にする。ガスシリンダが載置されたトレイの部分１６２は、圧縮ガスシリンダを固定するストラップ１６５を一端に有する。図５のストラップ１６５は、ラチェット式ストラップであり、各締め付け動作によりバックルを介して固定量を大きくする。それ単体では圧縮ガスシリンダを囲まないストラップ１６５の全長は、Ｖｅｌｃｒｏ（登録商標）等の面ファスナ式固定材料１６６によって所定の位置に保持される。
【００２６】
トレイ１６０の全長は、高摩擦材料１６３および摩擦係数の小さな材料１６４により裏打ちされたものとして図５に示している。低摩擦材料１６４は、ハンドル１６７から最も離間したトレイの部分１６２を覆っている。低摩擦材料１６４を配置することによって、ユーザーは、ガスシリンダを容易に所定の位置へ摺動可能である。高摩擦材料１６３は、トレイハンドル１６７近傍のストラップ１６５下のトレイの部分１６２に沿って配置されている。高摩擦材料１６３は、システムの運搬中に、ガスシリンダを所定の位置に保つのに役立つ。
【００２７】
引き出し式内部圧縮ガスシリンダ格納トレイ１６０は、直径が３．５インチ〜４．７２インチの範囲で長さが１７インチ〜３４インチの範囲の圧縮ガスシリンダに対応可能である。このようなサイズは、米国における医療グレードＥサイズのシリンダおよび欧州における２〜３リットルのシリンダを包含する。
【００２８】
図６は、単一の引き出し式内部圧縮ガスシリンダ格納トレイ１６０の図である。引き出し式内部圧縮ガスシリンダ格納トレイ１６０は、アルミニウムまたはチタン合金等の軽量ながら高強度の合金で構成可能である。あるいは、引き出し式内部圧縮ガスシリンダ格納トレイ１６０は、グラファイトまたはアラミド繊維強化ポリマー、適宜強度のセラミックまたは金属／セラミック複合材等、高強度重量比のポリマー複合材またはセラミック材料で構成可能である。繊維強化ポリマー複合材としては、繊維にガラス、グラファイト、またはアラミド繊維を含むものが挙げられる。圧縮ガスシリンダが着座するトレイの部分１６２には、複数の孔または開口を形成することによって、トレイの強度を犠牲にすることなく構造体の重量を軽減することができる。フレーム１４０に装着され、摺動部１６２が着座する引き出し式内部圧縮ガスシリンダ格納トレイ１６０の部分は、符号１６９の部分である。この部分は、軽量、高強度、かつ低摩擦材料で構成されたレールを含むことができる。このような材料としては、ポリホルムアルデヒド、アセタールホモポリマー、およびＤｅｌｒｉｎ（登録商標）としても知られるポリオキシメチレン（ＰＯＭ）を含むポリアセタールポリマー等のポリマーが挙げられる。また、図６には、シリンダを所定の位置に保持するストラップ１６５の固定に使用可能なトレイベッド１６２の様々な孔も示している。これらの孔によって、トレイ１６０は、長さおよび圧力調整器の構成が様々なシリンダに対応可能である。
【００２９】
図７は、ヘッドエンドアクセスパネル１１１、引き出し式マットレストレイ１１２、および診療用照明器１０５を備えた新生児運搬型保育器１１０を示している。保育器１１０は、優れた絶縁品質のため、他の保育器と比較して温度制御を改善可能である。このような絶縁品質は、保育器１１０の構築に使用する材料または保育器１１０の構築の結果として起こり得る。たとえば、保育器１１０は、二重壁とすることができる。また、保育器は、統合された湿度管理機能のほか、１つまたは複数のバッテリ、壁コンセント、または輸送機電源から電流を取り出し可能な電源の柔軟性を有することができる。保育器１１０には、医療提供者が運搬中の乳児または新生児の患者の健康を十分に監視することを可能としつつ、当該ユニットの電力取り出しを低減する機能を備えることができる。このような装置の一例として、診療用照明器１０５がある。診療用照明器１０５は、光源として発光ダイオード（ＬＥＤ）を備える。ＬＥＤは明るく、所要電力が白熱灯よりも少ない。また、ＬＥＤ診療用照明器は、薄型であるため、様々な種類の運搬輸送機の内部における狭い空間に対して、保育器１１０を容易に挿入および取り出し可能である。図示の診療用照明器１０５は、取り外しおよび交換も容易である。また、診療用照明器１０５は、バネ荷重クリップ１０４によって保育器１１０上に保持可能である。クリップ１０４は、各クリップの押圧および回転によって移動可能である。診療用照明器１０５は、一旦取り外すことにより、保育器１１０から離れた、照明が必要な場所に移動可能である。あるいは、照明器が正常に動作しない場合等には交換可能である。また、診療用照明器１０５は、電源プラグ１０８によって、保育器１１０もしくはシステム１００上の電源、または運搬型保育器システム１００の外部の電源であっても接続可能である。
【００３０】
図８および図９は、診療用照明器１０５のより詳細な図である。診療用照明器１０５の上部の凹部１０６は、クリップ（図７の符号１０４）を受ける。ユーザーは、電源スイッチ１０７によって、運搬型保育器システム１００のその他コンポーネントをオフすることなく診療用照明器１０５の電源をオフにすることができる。ＬＥＤ１０９は、拡散材料またはフィルタリング材料によって覆うことにより、必要に応じて光の強度を調整することができる。患者に照射する光の波長の変更または選択が必要な場合は、紫外光等の異なる波長で発光するＬＥＤを備えた別の診療用照明器１０５を使用することができる。また、患者への照射に種々波長の光を必要とする状況においては、選択的にオン／オフ切り替え可能な異なる波長で発光する様々な種類のＬＥＤを備えた診療用照明器１０５を使用することができる。
【００３１】
図１０は、付属品デッキ１４５、引き出し式内部圧縮ガスシリンダ格納トレイ１６０、モニターマウント２１０、空気圧制御ボックス２２０、電気制御ボックス２３０、および通風口２４０を備えた運搬型保育器システムのフレーム１４０を示している。付属品デッキ１４５上には、通風口接続板１７０が着座したＴスロットレール１５０が存在し、通常はそれに隣接して、保育器のヘッドエンドが配置されている。
【００３２】
モニターマウント２１０は、図１１により詳細に示す。モニターマウント２１０は、通風口（図１１には図示せず）の上方に適合するように構成可能である。システム１００の通常の使用に際しては、患者モニター１２０がバー２１５に取り付けられる。患者モニター１２０を用いることによって、患者の生命兆候（バイタルサイン）を表示するとともに、危険な状況を医療提供者に警告することができる。マウントの残りの部分に対して、患者モニター１２０の種類ごとに、バー２１５の異なる位置が必要となる可能性がある。このため、格子状の取り付け孔２１１を利用して、必要な位置に対応することができる。ネジ等の付属具２１２によって、バー２１５を所定の位置に固定する。モニターマウント２１０およびその付属具は、衝突試験および振動試験を行うことによって、これらのシステムを使用可能な場所の産業上の要件または法的な要件を満たすか、または上回っている。
【００３３】
図１２は、運搬型保育器システムのフレーム１４０におけるモニターマウント２１０、通風口２４０、空気圧制御ボックス２２０、電気制御ボックス２３０、および引き出し式内部圧縮ガスシリンダ格納トレイ１６０の相対位置を示している。空気圧制御ボックス２２０および電気制御ボックス２３０は、電気および加圧ガスコンポーネント用の別個の筐体を保持している。空気圧制御ボックス２２０の底部は電気制御ボックス２３０の蓋またはカバーを構成しているが、この蓋による物理的障壁は、電気制御ボックス２３０における可燃性ガスの危険な集中を防止するのに十分である。電気制御ボックス２３０内の環境を２５％未満の酸素リッチとするには、ガスケットが役に立つ。また、電気制御ボックス２３０には、当該ボックス内の環境が１５％、２０％、または２５％等の酸素リッチである注意レベルの酸素リッチに達したことを示す警報器を設けることができる。電気制御ボックス２３０における酸素の注意レベルは、２５％以上の酸素リッチとすることができる。一般的に、電気制御ボックス２３０は、２５％以上の酸素リッチ等の注意レベルを超える酸素の蓄積を防止するのに十分な物理的障壁を備えることができる。
【００３４】
図１３は、電気制御ボックス２３０の内部を示している。上述の通り、空気圧制御ボックス２２０は、電気制御ボックス２３０の上方に適合する。この構成は、符号２３６で示すボックスの壁の上部の形状によって容易化されている。電気制御ボックス２３０のコンポーネントとしては、電源入力２３１、ＡＣ配電ボックスまたはストリップ２３２、ＡＣ／ＤＣコンバータ２３３ａおよび２３３ｂ、ならびに出力２３５が挙げられる。ボックス外側の出力２３５の近傍には、等電位スタッドすなわちグランド２３７およびサージ保護コンポーネント２３８が配置されている。ＡＣ／ＤＣコンバータ２３３ａおよび２３３ｂは、通風口、モニター等のシステム部品に対応したメーカー供給コンポーネントとすることができる。
【００３５】
図１４ａは、空気圧制御ボックス２２０の外部を示している。空気圧制御ボックス２２０は、ガスシリンダ等のガス源から運搬型保育器システムに供給する圧縮ガスの調整器と、場合により圧力変換器とを収容している。図１４ａに示すコンポーネントとしては、調整器ゲージ２２４ａ〜２２４ｄ、シリンダからのガス１を導入する配管２２１ａおよび２２１ｂ、シリンダからのガス２を導入する配管２２２ａおよび２２２ｂ、壁ガス源の入力２２３、ガス１のガス源をシステムに導く４方向ボール弁のノブ２２５ａ、ガス２のガス源をシステムに導く４方向ボール弁のノブ２２５ｂ、圧力変換器等のセンサーからのデータをモニター等の画面上に表示するリードスイッチ２２６ａ〜２２６ｄ、ならびにコード格納ブラケット２２７が挙げられる。各ガス源を選択する弁、それらに関連するノブ２２５ａおよび２２５ｂ、ならびに表示ボタン（すなわち、リードスイッチ）２２６ａ〜２２６ｄの考え得る構成および働きについては、２０１１年９月９日付け出願の国際特許出願第ＰＣＴ／ＵＳ１１／５１０５２号「Ｅｌｅｃｔｒｏｎｉｃ  Ｖａｌｖｅ  Ｐｏｓｉｔｉｏｎ  Ｉｎｄｉｃａｔｏｒ」により詳しく記載されており、その全内容を本明細書中に参考として援用する。
【００３６】
図１４ｂは、図１４ａと同じコンポーネントの多くを示しているが、変換器２８７および壁ガス源用の調整器２２８も見えるようにしたものである。空気圧制御ボックス２２０は、少なくとも１つの物理的障壁を備えることによって、当該ボックスの外部における酸素等の可燃性ガスの危険な集中を防止することができる。上述の通り、物理的障壁は、ガスケット、壁、またはそれらの組み合わせとすることができる。
【００３７】
図１５には、付属品デッキ上にＴスロットレール１５０を備えた運搬型保育器システムのフレーム１４０と、Ｔスロットレール１５０を介してフレーム上に搭載した点滴ポンプ１３０と、付属品デッキにヘッドエンドが隣接した保育器１１０と、付属品デッキに搭載された通風口接続板１７０とを示す。
【００３８】
図１６は、付属品デッキ１４５に搭載され、患者および通風口２４０に接続される通風口接続板１７０を示している。患者につながる配管に取り付けられた図示の付属具としては、吸気または吸息付属具１７１、呼気または呼息付属具１７２、患者気道付属具１７３、ならびに流量決定に用いる遠位コネクタ１７４および近位コネクタ１７５が挙げられる。すべての付属具が必ずしも通風口と併用可能ではなく、その必要もない。たとえば、流量付属具１７４および１７５を使用しない通風口があってもよい。
【００３９】
図１７は、通風口接続板１７０を示した別の図であって、通風口２４０に戻る付属具も示している。これらの付属具としては、患者吸気付属具１７１ａ、呼気配管用付属具１７２ａ、および患者気道用付属具１７３ａが挙げられる。付属具１７４ａおよび１７５ａは、通風口が流量の測定または流量測定値の利用を行うように構成されている場合に通風口２４０に戻ることができる。
【００４０】
図１８ａおよび図１８ｂは、吸引収集器用のクリップ台２６０を示した異なる図である。このシステムと併用可能な吸引収集器は、約４０ｍｌ（または、４０ｃｃ）の容積を有する。また、クリップ台２６０は、その底部に配置された孔２６１を利用することにより、Ｔスロットレール１５０を介してフレーム１４０に固定することができる。孔２６１の上方には保持クリップ２６３が配置され、吸引収集器の容器を所定の位置に保つように機能する。図１８ｂは、Ｔスロットレール１５０上の付属品デッキ１４５に呼気弁２６４が取り付けられた状態の吸引収集器用のクリップ台２６０を示しており、通風口接続板１７０および点滴ポンプ１３０に隣接して配置されている。
【００４１】
図１９ａおよび図１９ｂは、吸引収集器用のクリップ台２６０を示した別の図であって、呼気弁２６４の取り付け部位２６２を視認可能である。
【００４２】
図２０には、Ｔスロットレール１５０を介して付属品デッキ１４５に搭載された付属品ポール２７０を示す。ポールコンポーネント２７０は、基部の孔２７１にナット等の付属具を挿入することによって、Ｔスロットレール１５０に取り付け可能である。また、ポール自体２７２を用いて、１つまたは複数の点滴ポンプ、酸素モニター等の機器を支持することができる。
【００４３】
図２１は、空気圧制御ボックス２２０内等に見られる調整器マウント２８０の一実施態様を示している。調整器マウント２８０は、エンドブロック２８１と、当該調整器マウント２８０を空気圧制御ボックス２２０内に取り付けるためのブロック内付属具２８５と、ロッド２８２と、当該ロッド２８２をエンドブロック２８１に取り付ける付属具と、１つまたは複数のシリコン緩衝ディスク２８６とを備える。エンドブロック２８１は、アルミニウムおよびアルミニウム合金等、軽量ながら高強度の任意適当な材料で構成可能である。図２１には、調整器マウント２８０内の２つの圧力調整器２８８も示す。シリコン緩衝ディスク２８６は、たとえば振動に対して、圧力調整器２８８を相互に隔離するように機能する。緩衝ディスク２８６は、天然ゴム、ラテックス等、シリコン以外の別の適当な材料で構成可能である。図２１は、圧力調整器２８８に取り付けられた圧力変換器２８７を示している。本明細書において上述した通り、圧力変換器２８７を用いることによって、圧縮ガス源の状態を示すことができる。
【００４４】
図２２には、ＤＣ配電コンポーネント２９０を示す。配電コンポーネント２９０は、１つまたは複数のＤＩＮレール上のコンポーネントアセンブリである。このアセンブリは、エンドブラケット２９２で挟み込んでいる。また、ヒューズホルダー２９３、６ＶＤＣリレー２９４、バッテリバスに対して切り替えられる２レベル端子ブロック２９５、ＤＣ／ＤＣコンバータ２９６、およびＤＣ／ＤＣ出力バスである２レベル端子ブロック２９７も示している。ＤＣ配電コンポーネント２９０は、バッテリ消耗コンポーネントを誤ってオン状態に放置することなく、ユーザーが運搬型保育器システム１００を完全に停止させるための手段である。
【００４５】
図２３は、運搬型保育器システム１００とスレッドまたはストレッチャとの間の一時的または補強用の接続を可能とする締結点または拘束コンポーネント３００を示している。締結点コンポーネント３００は、固定点３０２を介してシステムフレーム１４０に取り付けられる。締結コンポーネント３００を取り付け可能なシステムフレーム１４０上の領域は、ストラップ付属具３０４を介してストラップが取り付けられる際に計装パネルを一切遮ることのない領域である。これらの締結点３００は、運搬型保育器システムを載置するスレッドまたはストレッチャおよび当該保育器システム自体の両者の接合部および計装を回避するように、運搬型保育器システムのフレーム１４０上に配置可能である。締結点３００の配置の選択には、様々な種類のスレッドまたはストレッチャの異なる振動モードにおける様々な仮想締結点を備えたシステムフレームの挙動のコンピュータモデル等の振動解析を含むことができる。このような振動解析は、使用する特定のスレッドまたはストレッチャの機能に関する知識と併せて用いることができる。締結点の配置は、振動解析の最適化に基づいて、スレッドまたはストレッチャの性能を阻害することのないように選択可能である。また、締結点の配置は、振動解析の最適化と、複数種類のスレッドまたはストレッチャ、特に地理的な場所またはある種の輸送機で一般的に用いられるスレッドまたはストレッチャに関する知識とに基づいて選択可能である。
【００４６】
図２４は、運搬型保育器システム１００の車輪アセンブリ３１０を示している。車輪アセンブリ３１０は、車輪１８０および航空機すなわち輸送機付属具３１５を備える。航空機付属具３１５として使用可能な付属具の種類としては、運搬型保育器システム１００を使用する輸送および／または安全機関の要件を満たすか、または上回る任意の付属具が挙げられる。このような付属具の一例としては、航空機等の輸送機の床の特定点に取り付け可能なブッシャー（Ｂｕｃｈｅｒ）ピンがある。
【００４７】
図２５は、運搬型保育器システム１００の緩衝システム３２０を示している。緩衝システム３２０は、保育器の底部と運搬型保育器フレーム１４０の上部との間に配置可能である。緩衝システム３２０は、保育器に対するマウント３２２と、運搬型保育器フレーム１４０に取り付けられた１つまたは複数のフレームマウント３２４と、緩衝器３２６ａおよび３２６ｂと、運搬型保育器フレーム１４０に対する保育器の移動を制限するテザー３２８とを備えることができる。たとえば、テザー３２８は、運搬型保育器システム１００が逆さまになった場合または緩衝器３２６が限界を超えて伸びた場合に、運搬型保育器フレーム１４０から離れる方向の保育器の運動の範囲を制限可能である。図示の緩衝器３２６ａおよび３２６ｂは円筒形状であり、各緩衝器の中心を通過する軸は相互に直交している。この配向性に各緩衝器の変形特性が加わることで、保育器は、運搬輸送機からフレーム１４０を通って伝わり得る振動の大部分から隔離可能である。各緩衝器の変形特性としては、変形可能な材料、変形可能な形状、または変形可能な材料および変形可能な形状の両者が挙げられる。緩衝器は、円筒形状であってもよいし、断面が三角形、楕円形、正方形、または長方形等の角柱形状であってもよい。また、緩衝器は、中空であってもよいし中実であってもよい。緩衝器は、高密度の固体材料、発泡材料、一部が発泡材料で一部が高密度の固体材料である材料、有孔材料、またはそれらの任意の組み合わせで構成されていてもよい。角柱形状の緩衝器の場合、相互に直交する軸は、各角柱形状緩衝器の全長に平行な軸である。緩衝システム３２０は、２つ以上の緩衝器３２６を備えることができ、これら緩衝器３２６のうちの少なくとも２つが相互に直交する対応軸を有することになる。
【００４８】
図２６は、患者カルテ・手持ち式装置保持区画１９０を示している。区画１９０は、患者カルテを保持可能な大型のポケット１９１を有する。また、大型のポケット１９１は、下方に折り返して保育器システムの運搬中にカルテを保持可能なカルテカバー１９３を有する。また、Ｖｅｌｃｒｏ（登録商標）等の面ファスナ式閉鎖具１９５によって、風の強い条件やその他の粗雑な条件においてもカルテカバー１９３を所定の位置に維持することができる。区画１９０は、運搬中の手持ち式装置を保持可能な１９２も有することができる。この小型のポケット１９２は、面ファスナ式閉鎖具１９５で同様に固定・閉塞されるカバー１９４を有することができる。また、カバー１９４およびポケット１９２がメッシュ材料であることから、運搬中に手持ち式装置を視認可能である。
【００４９】
図２７は、空気圧制御ボックス２２０内と対照的に、圧縮ガスシリンダ３４０上にフロー調整器２８８が搭載された運搬型保育器システムの構成を示している。引き出し式内部圧縮ガスシリンダ格納トレイ１６０のサイズおよび運動要件により、ガスフロー調整器アセンブリでは、コンポーネント、ガス配管、および電気ケーブルが非常に特殊な配向を有することができる。このような特殊な要件および配向の例としては、シリンダ３４０上の調整器２８８からの低圧（すなわち、およそ５０ＰＳＩ以下の圧力）の空気圧出力に対して迅速継手（Ｑｕｉｃｋ  Ｃｏｎｎｅｃｔ）付属具等の押し込み式付属具を使用すること、圧力変換器用の電気コネクタを使用して信号を電子表示装置に中継すること、すべての接続に対して同じ配向を有すること、すべてのガス配管を同じ長さにすること、国ごとの付属具の長さを調整して１つの長さにすること、およびシリンダ３４０の上方で薄型となるように変換器および調整器ゲージ３４３を改良してガスシリンダとフレーム１４０との間の間隙に対応することが挙げられる。引き出し式トレイ１６０を備えた運搬型保育器システムにおける圧縮ガスシリンダ上への圧力調整器の搭載を容易化するためのその他考え得る対応としては、電気接続および空気圧接続の位置を変更すること、外部接続位置を移動させること、高品質で固定がより優れた電気コネクタを利用すること、張力緩和機構を含めること、機械的損傷から低圧配管を保護することが挙げられる。低圧配管の保護は、摩耗が問題とならない領域を通る配管経路を決定すること、または脆弱な配管を物理的に保護もしくは覆い包むことを包含可能である。圧縮ガスシリンダ３４０にフロー調整器２８８が搭載された運搬型保育器システムの構成では、本明細書に挙げた配向および機器の改良を一切行わないこと、一部を行うこと、またはすべてを行うことが可能である。
【００５０】
本明細書に記載の運搬型保育器システムは、地上の救急車、メデバックのＨＥＭＳヘリコプタ、または固定翼航空機によってある場所から別の場所へ乳児または新生児の患者を運搬するのに使用可能である。この保育器システムは、様々な電源式および／または非電源式システムを採用することによって、所要の雰囲気を保持可能である。電源式システムは、バッテリを電源とすることも可能であるし、運搬型保育器システムを配置する輸送機からの電気を利用することも可能である。運搬型保育器システムによって、１または複数種の圧縮ガスの複数のシリンダを搬送することにより、酸素、空気、またはその他のガス混合物を患者に供給可能である。あるいは、電源式空気圧縮機によって、呼吸ガスを患者に供給可能である。また、電源式能動的加湿システムによって、加熱した加湿空気またはその他のガス混合物を保育器の内部に供給可能であり、また、保育器内部の湿度レベルを維持するパッドを備え得る受動的加湿システムを用いることも可能である。受動的加湿システムは、バッテリ電力レベルの必要に応じて、能動的加湿システムの代わりに使用可能である。あるいは、受動的加湿システムは、能動的加湿システムと併せて用いることにより、全体の電力取り出しを低減可能である。本明細書に記載の運搬型保育器システムと併用する新しいフル充電状態のバッテリであれば、最短でもシステムをおよそ４５分間にわたって動作させることができる。また、このようなバッテリを２つ以上並列で用いることにより、たとえばおよそ８０分以上、またはおよそ９０分以上にも運搬時間を延長可能である。あるいは、このようなバッテリの一方から電力を供給し、その間、第２バッテリは、システムを運搬する輸送機から電流を取り出して充電することも可能である。また、３つ以上のバッテリを同時に使用し、２つ以上のバッテリから並列に電力を供給する一方、残りのバッテリを輸送機により充電することも可能である。上述の通り、保育器および運搬型保育器システム全体は、強度を維持しつつ重量が最小となるように設計可能であるとともに、軽量フレームおよびトレイの特徴、保育器の絶縁壁、および所要電力が少ない付属品等の特徴により、電力使用量が最適となるように設計可能である。
【００５１】
また、運搬型保育器システムは、空気および酸素等の壁ガス源と互換可能であり、壁コンセント等の固定電源と互換可能であるため、病院等の固定された場所で使用可能である。また、病院等の医療提供場所で使用されるモニターを本明細書に記載の運搬型保育器システムと併用可能である。本明細書に記載の運搬型保育器システムの照明器としては、白色ＬＥＤ照明器以外に、その他の波長の光を発する照明器が挙げられ、黄疸等、乳児の様々な症状に対処可能である。
【００５２】
本明細書に記載の主題の種々態様は、デジタル電子回路、集積回路、特別設計のＡＳＩＣ（特定用途向け集積回路）、コンピュータハードウェア、ファームウェア、ソフトウェア、および／またはそれらの組み合わせにて実現するようにしてもよい。これらの種々実施態様は、少なくとも１つのプログラム可能なプロセッサを備えたプログラム可能なシステム上での実行および／または解釈が可能な１つまたは複数のコンピュータプログラムの態様を含んでいてもよい。上記少なくとも１つのプログラム可能なプロセッサは、専用または汎用であり、メモリ、少なくとも１つの入力装置、および表示装置等の少なくとも１つの出力装置に対するデータおよび命令の送受信を行うように結合されていてもよい。
【００５３】
これらのコンピュータプログラム（プログラム、ソフトウェア、ソフトウェアアプリケーション、またはコードとしても知られている）は、プログラム可能なプロセッサの機械命令を含み、高水準手続き型および／もしくはオブジェクト指向プログラミング言語、ならびに／またはアセンブリ／機械言語で実装するようにしてもよい。本明細書において、用語「機械可読媒体」は、機械命令を機械可読信号として受信する機械可読媒体等、機械命令および／またはデータをプログラム可能なプロセッサに提供するために使用される任意のコンピュータプログラム製品、装置、および／または機器（たとえば、磁気ディスク、光ディスク、メモリ、プログラム可能論理回路（ＰＬＤ）等）を表す。用語「機械可読信号」は、機械命令および／またはデータをプログラム可能なプロセッサに提供するために使用される任意の信号を表す。
【００５４】
以上説明した実施態様は、本明細書に記載の主題と整合するすべての実施態様を表してはおらず、説明した主題に関する態様と整合した一部の例に過ぎない。図面全体において、同じまたは類似の構成要素は、可能な限り同じ参照番号を用いて表す。
【００５５】
以上、いくつかの変形例を詳細に説明したが、その他の改良または追加も可能である。特に、本明細書に示したものに加えて、別の特徴および／または変形例を提供可能である。たとえば、上述の実施態様は、開示した特徴の種々組み合わせおよび２次的な組み合わせならびに／または開示した複数の別の特徴の組み合わせおよび２次的な組み合わせとすることができる。また、本明細書に記載の用途の論理フローおよびステップは、上記特定の順序すなわち実行順序によって所望の結果を得る必要がない。同様に、一実施形態または実施態様の前部、後部、側部、上部、または底部に配置された各要素は、特段の定めのない限り、相対的に位置決めしたものと理解すべきである。他の実施形態についても、特許請求の範囲に含まれ得る。
【符号の説明】
【００５６】
１  ガス
２  ガス
１００  運搬型保育器システム
１０４  クリップ
１０５  診療用照明器
１０６  凹部
１０９  ＬＥＤ
１１０  保育器
１４０フレーム
１４５付属品デッキ
１５０  Ｔスロットレール
１６０  引き出し式内部圧縮ガスシリンダ格納トレイ
１６１  トレイハンドル
１６２  トレイの部分
１６３  高摩擦材料
１６５  ストラップ
１６６  固定材料
１６７  作動用ハンドル
１６８  ラッチ
１６９  部分
１７０  通風口接続板
１７１ａ  患者吸気付属具
１７２ａ  呼気配管用付属具
１７３ａ  患者気道用付属具
１７４ａ  付属具
１７５ａ  付属具
１８０  車輪
１９０  保持区画
１９１  大型のポケット
１９２  小型のポケット
１９４  カバー
１９５  閉鎖具
２００  ハンドル
２００ａ  ハンドル
２００ｂ  ハンドル
２０５  接続点
２１０  ロックピン
２１５  解除機構
２１６  バネ
２１０  モニターマウント
２１１  取り付け孔
２１２  付属具
２１５  バー
２２０  空気圧式ボックス
２２２ａ  配管
２２２ｂ  配管
２２４ａ  調整器ゲージ
２２４ｂ  調整器ゲージ
２２４ｃ  調整器ゲージ
２２４ｄ  調整器ゲージ
２３０電気制御式ボックス
２３２  ストリップ
２３３ａ  ＡＣ／ＤＣコンバータ
２３３ｂ  ＡＣ／ＤＣコンバータ
２３５  出力
２３７  グラント
２３８  コンポーネント
２４０  通気口
２６０  クリップ台
２６３  クリップ
２７０  ポールコンポーネント
２７１  基部の孔
２７２  ポール自体
２８０  調整器マウント
２８１  エンドブロック
２８２ロッド
２８６  緩衝ディスク
２８７  圧力変換器
２８８  圧力調整器
２９０  ＤＣ配電コンポーネント
２９２  エンドブラケット
２９４  ６ＶＤＣリレー
２９６  ＤＣ／ＤＣコンバータ
２９７  ２レベル端子ブロック
３００  締結コンポーネント
３０４  ストラップ付属具
３１０  車輪アセンブリ
３２０  緩衝システム
３２２  マウント
３２４  フレームマウント
３２６ａ  緩衝器
３２６ｂ  緩衝器
３２８  テザー
３４０  シリンダ
３４３  調整器ゲージ
【図１】
2015524731.tif 000003
【図２】
2015524731.tif 000004
【図３】
2015524731.tif 000005
【図４Ａ】
2015524731.tif 000006
【図４Ｂ】
2015524731.tif 000007
【図５】
2015524731.tif 000008
【図６】
2015524731.tif 000009
【図７】
2015524731.tif 000010
【図８】
2015524731.tif 000011
【図９】
2015524731.tif 000012
【図１０】
2015524731.tif 000013
【図１１】
2015524731.tif 000014
【図１２】
2015524731.tif 000015
【図１３】
2015524731.tif 000016
【図１４Ａ】
2015524731.tif 000017
【図１４Ｂ】
2015524731.tif 000018
【図１５】
2015524731.tif 000019
【図１６】
2015524731.tif 000020
【図１７】
2015524731.tif 000021
【図１８Ａ】
2015524731.tif 000022
【図１８Ｂ】
2015524731.tif 000023
【図１９Ａ】
2015524731.tif 000024
【図１９Ｂ】
2015524731.tif 000025
【図２０】
2015524731.tif 000026
【図２１】
2015524731.tif 000027
【図２２】
2015524731.tif 000028
【図２３】
2015524731.tif 000029
【図２４】
2015524731.tif 000030
【図２５】
2015524731.tif 000031
【図２６】
2015524731.tif 000032
【図２７】
2015524731.tif 000033
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
小児または新生児を制御された環境に保持する運搬型システムにおいて、
上部および底部を備え、保育器の底部に対して結合および分離するように構成されたシステムフレームと、
少なくとも４つのハンドルと、を備え、
各ハンドルは、前記システムフレームと接続された第１の端部と、該ハンドルが前記システムを運搬するのに使用されるときに、前記システムフレームから離れるように延びるよう構成された第２の端部とを有し、前記少なくとも４つのハンドルは、少なくとも１人の小児または新生児が前記システムを移動させることを可能とするよう構成され、前記少なくとも４つのハンドルのそれぞれは、少なくとも２つの位置をとり、
第１の位置では、前記システムの運搬に前記ハンドルの使用を可能とする延長位置に、前記ハンドルの前記第２の端部を配置するよう構成され、
第２の位置では、非運搬位置で前記システムフレームに隣接して、前記ハンドルの前記第２の端部を配置するよう構成され、
各ハンドルは、前記少なくとも２つの位置の間を移動するときに、前記システムフレームの上部に平行な面に垂直な軸線周りに回転するよう構成されている、運搬型システム。
【請求項２】
前記４つ以上のハンドルのそれぞれは、当該システムの運搬に前記ハンドルの使用を可能とするように構成された代替位置である第３の位置をさらに含む、請求項１に記載のシステム。
【請求項３】
前記４つ以上のハンドルのそれぞれの第１の端部は、前記システムフレームの付属具が通過する孔との接続点と、前記システムフレームの１つまたは複数の凹部に嵌合するロックピンとを備える、請求項１に記載のシステム。
【請求項４】
前記ロックピンが、整合時に、前記システムフレームの１つまたは複数の凹部に挿入される位置に付勢され、各ハンドルが、作動時に前記ロックピンを前記１つまたは複数の凹部から引き抜く解除機構を備える、請求項３に記載のシステム。
【請求項５】
前記システムフレームが、１つ以上の凹部を有し、該凹部は実質的に９０度の角度で一定間隔を空けて配置されている、請求項４に記載のシステム。
【請求項６】
前記システムフレームが、１つ以上の凹部を有し、該凹部は実質的に６０度の角度で一定間隔を空けて配置されている、請求項４に記載のシステム。
【請求項７】
前記システムフレームが、１つ以上の凹部を有し、該凹部は実質的に４５度の角度で一定間隔を空けて配置されている、請求項４に記載のシステム。
【請求項８】
前記システムフレームが、１つ以上の凹部を有し、該凹部は実質的に３０度の角度で一定間隔を空けて配置されている、請求項４に記載のシステム。
【請求項９】
前記ロックピンは、バネにより付勢されている、請求項４に記載のシステム。
【請求項１０】
保育器は、上部および底部を備え、該保育器の底部は、前記システムフレームの前記上部に対して取り外し可能に接続されている、請求項１に記載のシステム。
【請求項１１】
小児または新生児を制御された環境に保持する運搬型システムにおいて、
上部および底部を備え、保育器の底部に対して結合および分離するように構成されたシステムフレームであって、該システムフレームの前記上部は、前記保育器の底部の１つ又はそれ以上のマウントに可逆的に接続するためのマウントを有するシステムフレームと、
少なくとも４つのハンドルと、を備え、
各ハンドルは、前記システムフレームと接続された第１の端部と、該ハンドルが前記システムを運搬するのに使用されるときに、前記システムフレームから離れるように延びるよう構成された第２の端部とを有し、前記少なくとも４つのハンドルは、少なくとも１人の小児または新生児が前記システムを移動させ、かつ、少なくとも２つの位置に前記少なくとも４つのハンドルのそれぞれを移動させることを可能とするよう構成され、各ハンドルは、前記少なくとも２つの位置の間を移動するときに、前記システムフレームの上部に平行な面に垂直な軸線周りに回転するよう構成されている、運搬型システム。
【請求項１２】
装置において、
上部および底部を備え、保育器の底部に対して結合および分離するように構成されたシステムフレームと、
少なくとも４つのハンドルと、を備え、
各ハンドルは、前記システムフレームと接続された第１の端部と、該ハンドルが前記システムを運搬するのに使用されるときに、前記システムフレームから離れるように延びるよう構成された第２の端部とを有し、前記少なくとも４つのハンドルは、少なくとも１人の小児または新生児が前記システムを移動させ、かつ、少なくとも２つの位置に前記少なくとも４つのハンドルのそれぞれを移動させることを可能とする手段を有し、
第１の位置では、前記システムの運搬に前記ハンドルの使用を可能とする延長位置に、前記ハンドルの前記第２の端部を配置するよう構成され、
第２の位置では、非運搬位置で前記システムフレームに隣接して、前記ハンドルの前記第２の端部を配置するよう構成され、
各ハンドルは、前記少なくとも２つの位置の間を移動するときに、前記システムフレームの上部に平行な面に垂直な軸線周りに回転するよう構成されている、装置。
【国際調査報告】
2015524731.tif 000034
2015524731.tif 000035